(57)【要約】【課題】  位置情報の測位を要求される携帯電話機の電源ＯＦＦモードに設定されていた場合においても、携帯電話機の位置情報を知らせることができる携帯電話機を提供することを目的とする。【解決手段】  電源ＯＮモードと、少なくともディスプレイを表示させない電源ＯＦＦモードとに遷移可能な電源制御手段と、電源ＯＦＦモードにおいて外部からの測位要求を受信する受信手段と、前記受信手段が前記測位要求を受信すると、当該携帯端末の位置に関する情報を測位する測位手段と、前記測位手段によって測位した位置に関する情報に基づいて前記測位要求に対しての応答を送信する送信手段とを設ける。【選択図】  図８
2007288433.tif 000002
【特許請求の範囲】
【請求項１】
位置情報を外部端末より測位または受信可能な携帯端末であって、
電源ＯＮモードと、少なくともディスプレイを表示させない電源ＯＦＦモードとに遷移可能な電源制御手段と、
電源ＯＦＦモードにおいて外部からの測位要求を受信する受信手段と、
前記受信手段が前記測位要求を受信すると、当該携帯端末の位置に関する情報を測位する測位手段と、
前記測位手段によって測位した位置に関する情報に基づいて前記測位要求に対しての応答を送信する送信手段と
を有することを特徴とする携帯端末。
【請求項２】
更に、測位許可者の許可情報を記憶する記憶手段を有し、
前記測位手段は、前記受信手段が前記測位要求を受信した後、測位許可者からの測位要求か否かを前記記憶手段に記憶された前記許可情報に基づいて判断し、測位許可者からの測位要求である場合、当該携帯端末の位置に関する情報を測位すること
を特徴とする請求項１に記載の携帯端末。
【請求項３】
位置情報を外部端末より測位または受信可能な携帯端末であって、
電源ＯＮモードと、少なくともディスプレイを表示させない電源ＯＦＦモードとに遷移可能な電源制御手段と、
前記電源ＯＦＦモードにおいて外部からの測位要求を受信する受信手段と、
前記受信手段が前記測位要求を受信すると、当該携帯端末の位置に関する情報を測位する測位手段と、
前記測位手段によって測位した位置に関する情報に基づいて前記測位要求に対しての応答を送信する送信手段と
を有し、
前記電源制御手段は、前記受信手段が前記測位要求を受信すると、前記測位手段に対して電源供給することを特徴とする携帯端末。
【請求項４】
更に、測位許可者の許可情報を記憶する記憶手段を有し、
前記測位手段は、前記受信手段が前記測位要求を受信して前記電源制御手段に電源供給された後、測位許可者からの測位要求か否かを前記記憶手段に記憶された前記許可情報に基づいて判断し、測位許可者からの測位要求である場合、当該携帯端末の位置に関する情報を測位すること
を特徴とする請求項３に記載の携帯端末。
【請求項５】
少なくとも携帯端末と管理端末とからなる位置測位システムであって、
前記携帯端末は、
無線通信手段と、
操作手段と、
前記操作手段の操作に応じて、電源ＯＮモードと、少なくともディスプレイを表示させない電源ＯＦＦモードとに遷移可能であり、前記電源ＯＦＦモードに設定されてから所定の時間経過すると前記無線通信手段に電源供給する電源制御手段と、
前記電源制御手段によって電源供給された後、当該携帯端末の位置に関する情報を測位する測位手段と、
前記測位手段によって測位した位置に関する情報に基づいて位置情報を前記管理端末に送信する送信制御手段とを有し、
前記管理端末は、
前記携帯端末から位置情報を受信する受信手段と、
前記受信手段によって受信した位置情報を記憶する記憶手段と、
外部端末より測位要求を受信すると、前記記憶手段より位置情報を読み出して、前記測位要求に対しての応答を送信する送信手段と
を有することを特徴とする位置測位システム。
【請求項６】
前記電源制御手段は、前記送信制御手段によって位置情報を送信した後、前記無線通信手段の電源供給を中止することを特徴とする請求項５に記載の位置測位システム。
【請求項７】
前記管理端末の記憶手段は、更に測位許可者の許可情報を記憶し、
前記送信手段は、前記受信手段が前記測位要求を受信した後、測位許可者からの測位要求か否かを前記記憶手段に記憶された前記許可情報に基づいて判断し、測位許可者からの測位要求である場合、前記測位要求の応答を送信すること
を特徴とする請求項５に記載の位置測位システム。
【発明の詳細な説明】
【技術分野】
【０００１】
本発明は携帯電話機に関する。
【背景技術】
【０００２】
近年、携帯電話機の進歩および普及にはめざましいものがある。そして、利用するユーザの年齢層も様々であって、子供からお年寄りまで幅広い年齢層のユーザがいる。それに伴って、特に子供やお年寄りに携帯電話機を所持させて、子供やお年寄りの携帯電話機の位置情報を測位するように他の電子機器から要求し、子供やお年寄りの所持する携帯電話機の位置を知ることができる技術がある（例えば特許文献１）。
【特許文献１】特開２００３−１４９３１７号公報
【発明の開示】
【発明が解決しようとする課題】
【０００３】
特許文献１に記載の技術は、位置情報の測位を要求される携帯電話機側が待ち受け中に所定のコマンドを受信すると、その携帯電話機は位置探索用ソフトを自動起動して、位置情報の測位を行い、要求側に対してその情報を返信する技術が記載されている。しかしながら、位置情報の測位を要求される携帯電話機の電源をＯＦＦにしていた場合には、このような技術は全く意味を持たないこととなる。
【０００４】
本発明は、上記の課題を解決するものであって、位置情報の測位を要求される携帯電話機の電源がＯＦＦに設定されていた場合においても、位置情報の測位要求者に対して位置情報の測位を要求される携帯電話機の位置情報を知らせることができる携帯端末を提供することを目的とする。
【課題を解決するための手段】
【０００５】
上記目的を達成するために、本発明の携帯端末は、位置情報を外部端末より測位または受信可能な携帯端末であって、電源ＯＮモードと、少なくともディスプレイを表示させない電源ＯＦＦモードとに遷移可能な電源制御手段と、電源ＯＦＦモードにおいて外部からの測位要求を受信する受信手段と、前記受信手段が前記測位要求を受信すると、当該携帯端末の位置に関する情報を測位する測位手段と、前記測位手段によって測位した位置に関する情報に基づいて前記測位要求に対しての応答を送信する送信手段とを有することを特徴とする。
【０００６】
また、本発明の位置測位システムは、少なくとも携帯端末と管理端末とからなる位置測位システムであって、前記携帯端末は、無線通信手段と、操作手段と、前記操作手段の操作に応じて、電源ＯＮモードと、少なくともディスプレイを表示させない電源ＯＦＦモードとに遷移可能であり、前記電源ＯＦＦモードに設定されてから所定の時間経過すると前記無線通信手段に電源供給する電源制御手段と、前記電源制御手段によって電源供給された後、当該携帯端末の位置に関する情報を測位する測位手段と、前記測位手段によって測位した位置に関する情報に基づいて位置情報を前記管理端末に送信する送信制御手段とを有し、前記管理端末は、前記携帯端末から位置情報を受信する受信手段と、前記受信手段によって受信した位置情報を記憶する記憶手段と、外部端末より測位要求を受信すると、前記記憶手段より位置情報を読み出して、前記測位要求に対しての応答を送信する送信手段とを有することを特徴とする。
【発明の効果】
【０００７】
本発明によれば、位置情報の測位を要求される携帯電話機の電源がＯＦＦに設定されていた場合においても、位置情報の測位要求者に対して位置情報の測位を要求される携帯電話機の位置情報を知らせることができる。
【発明を実施するための最良の形態】
【０００８】
以下、図面を参照して本発明の実施例を説明する。
【実施例】
【０００９】
（第１の実施例）
以下に、本発明を携帯電話機に適用した場合における一つの実施の形態を、図面を用いて説明する。図１は、本発明の携帯電話機を用いた位置を測位するシステムの一つの形態の概要を示した図である。
【００１０】
本システムの携帯電話機ＭＳ１の位置情報は、携帯電話機ＭＳ２又は電子機器ＰＣより測位可能である。携帯電話機ＭＳ２は、携帯電話機ＭＳ１の位置情報を測位するために、基地局ＢＳ２と携帯電話網ＮＷ１とを経由して、ネットワークＮＷ２に接続された位置情報測位システムの管理部ＳＶに対して測位の要求（以下測位要求メールと記す）を作成し、送信する。そうすると、位置情報測位システムの管理部ＳＶは、ネットワークＮＷ２、携帯電話網ＮＷ１、及び基地局ＢＳ１を経由して携帯電話機ＭＳ１に対して測位の要求を行うことができる。そして、測位した位置情報は、基地局ＢＳ１、携帯電話網ＮＷ１及びネットワークＮＷ２を経由して、位置情報測位システムの管理部ＳＶに対して送信され、そこから、ネットワークＮＷ２、携帯電話網ＮＷ１、及び基地局ＢＳ２を経由して携帯電話機ＭＳ２に位置情報が送られる。
【００１１】
また、電子機器ＰＣより測位要求メールを作成し、測位の要求をするときもほぼ同じである。電子機器ＰＣは、携帯電話機ＭＳ１の位置情報を測位するために、ネットワークＮＷ２を経由して、位置情報測位システムの管理部ＳＶに対して測位要求メールを作成し送信する。そうすると、位置情報測位システムの管理部ＳＶは、ネットワークＮＷ２、携帯電話網ＮＷ１、及び基地局ＢＳ１を経由して携帯電話機ＭＳ１に対して測位の要求を行うことができる。そして、測位した位置情報は、基地局ＢＳ１、携帯電話網ＮＷ１及びネットワークＮＷ２を経由して、位置情報測位システムの管理部に対して送信され、そこから、ネットワークＮＷ２を経由して電子機器ＰＣに位置情報が送られる。
【００１２】
図２、図３は携帯電話機ＭＳ１の外観を示した図であり、また図５は携帯電話機ＭＳ１のブロック図を示したものである。  
まず、携帯電話機ＭＳ１の構造を図２と図３を用いて説明する。図２は、携帯電話機ＭＳ１を約１８０度開いた時の外観図である。図２（Ａ）は正面から見た図、図２（Ｂ）は側面から見た図である。
【００１３】
次に、図２は携帯電話機ＭＳ１を閉じた時の図である。図２（Ａ）は正面から見た図、図２（Ｂ）は側面から見た図である。携帯電話機ＭＳ１は上筐体部２と下筐体部４がヒンジ部３を介して接続されており、上筐体部２にはＬＣＤなどのディスプレイ５、受信した音声を発声するレシーバ９、携帯電話機ＭＳ１の状態を検知するための磁気センサ１１ａ、１１ｃ、カメラ１２、及びＬＣＤなどのサブディスプレイ１３を有している。そして、ディスプレイ５、及びカメラ１２は上筐体部２の同一の面上に備えられている。また、下筐体部４には、数字、文字、携帯電話機ＭＳ１の操作等を入力するためのキー６、更には携帯電話機ＭＳ１の操作を行うサイドキー７、集音するためのマイク（送話口）８、及び携帯電話機ＭＳ１の状態を検知するための磁気センサ１１ｂ、１１ｄを有している。
【００１４】
図５は、携帯電話機ＭＳ１の構成を簡潔に示したブロック図である。携帯電話機ＭＳ１の内部には、携帯電話機ＭＳ１全体の制御を行う制御部１０１と、マイク制御部１０８と、スピーカ１０９と、カメラ１２を制御するカメラ制御部１１２と、ＲＯＭ又はＮＡＮＤメモリなどで構成される不揮発性の記憶部１１５と、一時的に記憶する揮発性のＲＡＭ１１１と、ディスプレイ５を表示制御する第１表示制御部１１３と、サブディスプレイ１３を表示制御する第２表示制御部１０５と、キー６、サイドキー７の押下を認識する操作部１０６と、アンテナ１１７を用いて無線通信制御を行う無線通信部１１６と、ＧＰＳアンテナ１１９を用いて無線通信制御を行うＧＰＳ通信部１１８とを備えており、制御部１０１によって全体が制御されており、外部より携帯電話機ＭＳ１の位置の測位を許可するか否かを判定する制御を行うこともできる。また、制御部１０１は、電源制御部１０１ａを有し、電源制御部１０１ａは、後述する電源ＯＮモード・電源ＯＦＦモード・完全ＯＦＦモードのいずれかにユーザのキー操作に応じて遷移すると、モードに応じた電源供給を行う。
【００１５】
記憶部１１５は、制御部１０１が実行するプログラム、各種の情報データなどが保存されており、また、外部から携帯電話機ＭＳ１の位置の測位の要求を許容するものの情報（例えば、メールアドレス、端末のＩＤ）が記憶される許可者記憶部１１５ａが記憶されている。
【００１６】
第２表示制御部１０５は、サブディスプレイ１３を表示制御するものであり、制御部１０１から出力命令される表示データを表示制御する。
【００１７】
第１表示制御部１１３は、ディスプレイ５を表示制御するものであり、制御部１０１から出力命令される表示データを表示制御する。
【００１８】
無線通信部１１６は、制御部１０１によって命令された情報を、無線通信によってアンテナ１１７を介して送信したり、サーバより無線通信によって送られた情報をアンテナ１１７を介して受信したりする機能を有する。なお、無線通信部１１６は、後述する電源ＯＦＦモード（又は第２電源ＯＦＦモード、又は第３電源ＯＦＦモード）に遷移し、測位要求メールを受けた場合は、受信した旨を管理部ＳＶ側に知らせるＡＣＫ信号を送信するが、電源ＯＦＦモード（又は第２電源ＯＦＦモード、又は第３電源ＯＦＦモード）に遷移し、その他の通常メールの信号を受信した場合や、着信信号を受けた場合には、ＡＣＫ信号を返答しないように制御し、受け付けないようにすることも可能である。
【００１９】
ＧＰＳ通信部１１８は、制御部１０１からの要求によって起動され、制御部１０１から携帯電話機ＭＳ１の位置情報を測位する旨の要求を受けると、ＧＰＳアンテナ１１９を介して位置情報を測位するための情報を送受信する機能を有する。
【００２０】
カメラ制御部１１２は、制御部１０１によって起動され、カメラ１２から入力された画像は、表示制御部１１３を通じてディスプレイ５などに表示される。
【００２１】
操作部１０６は、キー６及びサイドキー７の押下を認識するキー入力部を有する。操作部１０６は、数字キーや文字キー、メール編集の決定・中止などのファンクションキーを
含む複数のキーの押下をそれぞれ認識することができ、利用者が入力操作したキー６の入力に応じて、キーを識別する識別信号を制御部１０１へ通知し、制御部１０１がそのキーの押下に対応する動作を開始する。
【００２２】
図４は、携帯電話機ＭＳ１のディスプレイ５の表示例、キー６の配置の一例を示した図であり、図４（Ａ）はディスプレイ５の表示例、図４（Ｂ）はキー６の配置の一例である。図４（Ａ）に示されるように、携帯電話機ＭＳ１のディスプレイ５には、一番上の行（以下上ピクト行とする）には、現在のアンテナ１１７の感度のレベルを示したアンテナピクト５１と、携帯電話機ＭＳ１の現在の電池残量を示した電池ピクト５２と、現在の時刻を表示する時刻表示５３とが表示されている。
【００２３】
携帯電話機ＭＳ１のディスプレイ５の一番下の行（以下下ピクト行とする）には、現在表示されている機能において、ソフトキー左６４・確定キー６５（十字キー６７の中心部）・ソフトキー右６６を押下すると実行される機能の簡単な説明がなされており、それぞれソフトキー左６４については左下ピクト５４、確定キー６５については中下ピクト５５、ソフトキー右６６については右下ピクト５６に説明が表示されている。たとえば、図４（Ａ）のような表示がなされている場合、ソフトキー左６４を押下すると、「戻る」という機能が実行され、確定キー６５を押下すると、図示していないが、現在フォーカスが当たっている機能を選択することができる。また、ソフトキー右６６を押下すると、「サブメニュー」が表示される。
【００２４】
図４（Ｂ）に示されるように、下筐体４には、キー６として、数字キー６１、「＊」キー６２、「＃」キー６３、ソフトキー左６４、確定キー６５、ソフトキー右６６、十字キー６７、メールキー６８、ブラウザキー６９、通話キー７０、電源キー７１、及びクリアキー７２を有する。数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。また、「＊」キー６２には、「＊」が割り当てられており、更に文字入力状態において記号一覧、絵文字一覧を呼び出すことができる。また、「＃」キー６３には、「＃」が割り当てられており、更に文字入力状態において、数字キー６１による文字入力のトグルを逆にすることができる。
【００２５】
十字キー６７は、上キー・下キー・左キー・右キー及び確定キー６５を有し、当てられたカーソルを上下左右方向に移動することができることに加え、確定キー６５を押下すると、さまざまな機能を確定することができる。また、メールキー６８はメールの送受信機能を呼び出すことができる。また、ブラウザキーは、Ｗｅｂなどに接続することができる。
【００２６】
通話キー７０は、主に電話を受ける際や、通常の発信をする際に用いるためのキーであり、電源キー７１は、主に電源のＯＮ・ＯＦＦ、終話の際、及び機能、編集を終了する際に用いる。更に、クリアキー７２は、主に機能・編集をクリアする際、及び文字入力の際に文字を消去する際に用いる。また、クリアキー７２は待受画面において押下すると、メモ帳を呼び出すことができる。
【００２７】
また、前述のとおり、上筐体部２及び下筐体部４には、上筐体部２、下筐体部４の状態を検出するためのセンサ１１ａ〜１１ｄが設けられている。これらのセンサ１１ａ〜１１ｄは例えば磁気センサにより構成され、センサ同士が一定の距離内で接近した状態で検出信号を出力する。上記各センサ１１ａ〜１１ｄのうち、センサ１１ａと１１ｂとの対は、上筐体部２及び下筐体部４が重なり合っているか否かを検出し、センサ１１ｃと１１ｄとの対は、上筐体部２及び下筐体部４が重なり合っている場合に、上筐体部２と下筐体部４とがディスプレイ５が内向きの状態（例えば図３の状態）で重なっているか、サブディスプレイ１３が内向きの状態（ディスプレイ５は外向きの状態）で重なっているか否かを主に検出する。
【００２８】
次に、図２乃至図５に記載した内容の構成を備えた携帯電話機ＭＳ１を用いた位置情報測位システムについて図６乃至図１１を用いて説明する。図６は携帯電話機ＭＳ１における各構成要素の電力供給状態を示したものである。携帯電話機ＭＳ１は、電源ＯＮモード２０１と、完全ＯＦＦモード２０３と、電源ＯＦＦモード２０２とに遷移可能である。まず、電源ＯＮモード２０１においては、制御部１０１、第２表示制御部１０５、操作部１０６、マイク１０８、スピーカ１０９、ＲＡＭ１１１、カメラ１１２、第１表示制御部１１３、記憶部１１５、無線通信部１１６、ＧＰＳ通信部１１８のいずれも電源がＯＮになっている状態（又は電源ＯＮ可能なスタンバイ状態）になっている。また、完全ＯＦＦモード２０３においては、制御部１０１、第２表示制御部１０５、操作部１０６、マイク１０８、スピーカ１０９、ＲＡＭ１１１、カメラ１１２、第１表示制御部１１３、記憶部１１５、無線通信部１１６、ＧＰＳ通信部１１８のほとんど全ての電源がＯＦＦになっている状態になっている。なお、完全ＯＦＦモード２０３において、図示しないＲＴＣ（リアルタイムクロック）や、一部の構成要素はＯＮになっていてもよい。また、電源ＯＦＦモード２０２においては、制御部１０１、ＲＡＭ１１１、記憶部１１５、無線通信部１１６、ＧＰＳ通信部１１８が少なくとも電源ＯＮになっている状態（又は電源ＯＮ可能なスタンバイ状態）になっており、その他の構成要素は例外（例えば電源キー７１）を除き電源ＯＦＦ状態（又は電源ＯＮ可能なスタンバイ状態）となっている。なお、完全電源ＯＦＦモード２０３・電源ＯＦＦモード２０２では、第２表示制御部１０５及び第１表示制御部１１３が原則ＯＦＦにしてあることから、ディスプレイ５及びサブディスプレイ１３の電源もＯＦＦになっている。また、電源ＯＦＦモード２０２において、無線通信部１１６は、後述する測位要求メールを受けた場合は、受信した旨を管理部ＳＶ側に知らせるＡＣＫ信号を送信し、その他の通常メールの信号を受信した場合や、着信信号を受けた場合には、ＡＣＫ信号等の応答信号を返答しないように制御する。
【００２９】
なお、電源ＯＦＦモード２０２と完全ＯＦＦモード２０３とにおいて、電源ＯＦＦモード２０２のほうが電源ＯＦＦ状態になっている構成要素が完全ＯＦＦモード２０３より多いため、電力消費は完全ＯＦＦモード２０３のほうが少ない。また、ここで言う構成要素が電源ＯＦＦ状態になっているとは、電力供給がなされていないことを指す。
【００３０】
次に、完全ＯＦＦモード２０３、電源ＯＦＦモード２０２、電源ＯＮモード２０１の遷移について説明する。図７は、携帯電話機ＭＳ１の完全ＯＦＦモード２０３・電源ＯＮモード２０１・電源ＯＦＦモード２０２の遷移を示した図である。制御部１０１は、完全ＯＦＦモード２０３の状態において（ステップＳ１３１）、電源ＯＮモードへの移行操作（例えば電源キー７１の一定時間以上の押下）が操作部１０６によってなされたか否かを判断し（ステップＳ１３２）、操作部１０６による電源ＯＮモードへの移行操作がなされたと判断すると（ステップＳ１３２のＹｅｓ）、制御部１０１は電源ＯＮモード２０１に移行する（ステップS１３３）。また、制御部１０１が、操作部１０６によって電源ＯＮモ
ードへの移行操作がなされていないと判断した場合は、ステップＳ１３４へ移行する（ステップＳ１３２のＮｏ）。
【００３１】
そして、制御部１０１は、ステップＳ１３４において、電源ＯＦＦモードへの移行操作（例えば電源キー７１を一定時間内に２度押下すること）が操作部１０６によってなされたか否かを判断する（ステップＳ１３４）。そして、制御部１０１は、電源ＯＦＦモードへの移行操作が操作部１０６によってなされたと判断した場合（ステップＳ１３４のＹｅｓ）、制御部１０１は電源ＯＦＦモード２０２へ移行する（ステップＳ１３５）。また、制御部１０１は、電源ＯＦＦモードへの移行操作が操作部１０６によってなされていないと判断した場合（ステップＳ１３４のＮｏ）、再度ステップＳ１３２へ移行し、制御部１０１は再度電源ＯＮ操作がなされたか否かを判断する。
【００３２】
次に、ステップＳ１３５の電源ＯＦＦモード２０２において、制御部１０１は、電源ＯＮモードへの移行操作（例えば電源キー７１を一定時間以上押下すること）が操作部１０６によってなされたか否かを判断し（ステップＳ１３６）、操作部１０６による電源ＯＮモードへの移行操作がなされたと判断すると（ステップＳ１３６のＹｅｓ）、制御部１０１は電源ＯＮモード２０１に移行する（ステップS１３３）。また、制御部１０１が、操
作部１０６によって電源ＯＮモードへの移行操作がなされていないと判断した場合は、ステップＳ１３７へ移行する（ステップＳ１３６のＮｏ）。
【００３３】
そして、制御部１０１は、ステップＳ１３７において、完全ＯＦＦモード２０３への移行操作（例えば数字キー６１の４桁の暗証番号の押下に続き、電源キー７１の一定時間以上の押下すること）が操作部１０６によってなされたか否かを判断する（ステップＳ１３７）。そして、制御部１０１は、完全ＯＦＦモードへの移行操作が操作部１０６によってなされたと判断した場合（ステップＳ１３７のＹｅｓ）、制御部１０１は完全ＯＦＦモード２０３へ移行する（ステップＳ１３８）。また、制御部１０１は、完全ＯＦＦモード２０３への移行操作が操作部１０６によってなされていないと判断した場合（ステップＳ１３７のＮｏ）、再度ステップＳ１３６へ移行し、制御部１０１は再度電源ＯＮ操作がなされたか否かを判断する。
【００３４】
次に、ステップＳ１３３の電源ＯＮモード２０１において、制御部１０１は、電源ＯＦＦモードへの移行操作（例えば電源キー７１を一定時間以上押下すること）が操作部１０６によってなされたか否かを判断し（ステップＳ１３９）、操作部１０６による電源ＯＦＦモードへの移行操作がなされたと判断すると（ステップＳ１３９のＹｅｓ）、制御部１０１は電源ＯＦＦモード２０２に移行する（ステップS１３５）。また、制御部１０１が
、操作部１０６によって電源ＯＦＦモードへの移行操作がなされていないと判断した場合は、ステップＳ１４０へ移行する（ステップＳ１３９のＮｏ）。
【００３５】
そして、制御部１０１は、ステップＳ１４０において、完全ＯＦＦモード２０３への移行操作（例えば数字キー６１の４桁の暗証番号の押下に続き、電源キー７１の一定時間以上の押下すること）が操作部１０６によってなされたか否かを判断する（ステップＳ１４０）。そして、制御部１０１は、完全ＯＦＦモードへの移行操作が操作部１０６によってなされたと判断した場合（ステップＳ１４０のＹｅｓ）、制御部１０１は完全ＯＦＦモード２０３へ移行する（ステップＳ１３８）。また、制御部１０１は、完全ＯＦＦモード２０３への移行操作が操作部１０６によってなされていないと判断した場合（ステップＳ１４０のＮｏ）、再度ステップＳ１３９へ移行し、制御部１０１は再度電源ＯＮ操作がなされたか否かを判断する。なお、完全ＯＦＦモードへ移行することは、誤動作しないように、単純な操作でない操作であることが望ましい。
【００３６】
次に、図８を参照して、携帯電話機ＭＳ１を用いた位置情報測位システムの動作について説明する。まず、要求側端末（例えば携帯電話機ＭＳ２・電子機器ＰＣなど）のユーザが携帯端末ＭＳ１の位置情報を知りたい場合には、ユーザのキー６の入力に基づいて測位要求メールを作成して送信する（ステップＳ１１１）。なお、この際、測位要求メールと通常のメールとの違いを受信先に認識させるため、測位要求メールを作成する場合は、例えば、図９に示すようなメール作成画面において、メールの件名欄２１１に予め設定された「位置要求」などのキーワードを入れることによる区別によって実現することが望ましい。また、例えば、図１０に示したように、通常メールと同様にメールを作成し、メールを送信する際に、通常のメール送信の場合は、ソフトキー左６４の押下によって送信開始し（第１表示制御部１１３はディスプレイ５の左下ピクトに「送信」たるガイドを表示させる）、位置要求メールの送信の場合は、ソフトキー右６６の押下によって送信開始する（第１表示制御部１１３はディスプレイ５の右下ピクトに「位置要求送信」たるガイドを表示させる）ことによる区別によって実現してもよい。
【００３７】
ここで、図９のメール作成画面ついて説明する。図９はメール作成画面の一例を示したものである。図９では現在宛先にフォーカスが当てられていることを示している。第１表示制御部１１３は、操作部１０６の十字キー６７が操作されるとその操作された該当の方向にフォーカスを移動させて表示制御する。また、フォーカスが当てられている状態で操作部１０６の確定キー６５が押下されると、第１表示制御部１１３は、当該フォーカスが当てられている項目の詳細を作成することができる（その旨が中下ピクト５５にガイド表示されている）。
【００３８】
ここで、図１０のメール作成画面について説明する。図１０はメール作成画面の一例を示したものである。図９と同様の箇所は説明を省略する。第１表示制御部１１３が図１０の画面をディスプレイ５に表示させているときに、制御部１０１は、操作部１０６のソフトキー左６４の押下を検出すると、無線通信部１１６に該当するメールを通常メールで送信するよう制御する。また、第１表示制御部１１３が図１０の画面をディスプレイ５に表示させているときに、制御部１０１は、操作部１０６のソフトキー右６６の押下を検出すると、予め定められた電子メールに含まれるフラグをＯＮにセットして、無線通信部１１６に該当するメールを送信するよう制御する。
【００３９】
なお、図に示したように、件名にキーワードを設定させておくことに限定されず、本文の先頭の文字（または絵文字や記号）を設定させてもよいし、末尾の文字（または絵文字や記号）を設定してもよい。また、図１０に示したように、予め定められたフラグのＯＮ／ＯＦＦによる判断に限定されず、制御部１０１は操作部１０６のソフトキー右６６の押下を検出して予め定められた添付ファイルを添付することでもよい。
【００４０】
ここで、図８の説明に戻り、ステップＳ１１１において、要求側端末ＭＳ２がメールを送信すると、管理部ＳＶがこのメールを受け付ける。そして、管理部ＳＶは、受け付けたメールが測位要求メールか、通常メールかを判断する（ステップＳ１１２）。なお、測位要求メールであるか否かは、受け付けたメールを解析し、前述したフラグのＯＮ／ＯＦＦ、またはキーワードの設定の有無などに基づいて判断する。
【００４１】
そして、管理部ＳＶは、ステップＳ１１２において受け付けたメールが測位要求メールであると判断した場合は（ステップＳ１１２のＹｅｓ）、当該受け付けたメールを携帯電話機ＭＳ１へ送信する（ステップＳ１１３）。
【００４２】
そして、携帯電話機ＭＳ１はこのメールを受信可能であれば受信する。なお、当然であるが、携帯電話機ＭＳ１の無線通信部１１６に電源供給がされていない場合は受信できない（例えば完全ＯＦＦモード２０３）。次に、携帯電話機ＭＳ１は、測位要求メールを受信した場合、測位要求メールを受信した旨のＡＣＫ信号を管理部ＳＶに対して送信する（ステップＳ１１４）。そして、携帯電話機ＭＳ１の制御部１０１は、送信元のメールアドレスが記憶部１１５の許可者記憶部１１５ａに記憶されているメールアドレスと一致するか否かを判断する（ステップＳ１１５）。そして、制御部１０１は、送信元のメールアドレスと許可者記憶部１１５ａに記憶されているメールアドレスと一致しないと判断した場合は、位置情報の通知が不可である旨の通知を要求側端末へ返信する（ステップＳ１１５のＮｏ）。
【００４３】
また、ステップＳ１１５において、制御部１０１は、送信元のメールアドレスと許可者記憶部１１５ａに記憶されているメールアドレスと一致すると判断した場合は、測位モードに移行する（ステップＳ１１６）。なお、測位モードについての詳細な説明は後述するが、携帯電話機ＭＳ１の無線通信部１１６は、測位モードによって得られた位置情報を管理部ＳＶを経由して要求側端末へ送信する。
【００４４】
一方、管理部ＳＶにおけるステップＳ１１３において、測位要求メールを送信した後、管理部ＳＶは携帯電話機ＭＳ１から測位要求メールを受信した旨のＡＣＫ信号を受信したか否かを判断する（ステップＳ１１７）。そして、管理部ＳＶがＡＣＫ信号を受信した場合は、携帯電話機ＭＳ１からの測位結果の受信を待ち受ける（ステップＳ１１７のＹｅｓ、＜１＞方向）。また、管理部ＳＶがＡＣＫ信号を受信していないと判断された場合は、ステップＳ１１３において測位要求メールを送信してから一定時間経過したかを判断する（ステップＳ１１８）。そして、一定時間経過していない場合は、ステップＳ１１７に遷移し、再度ＡＣＫ信号を受信したか否かを判断する。また、一定時間を経過した場合は、管理部ＳＶは、要求側端末に対して携帯電話機ＭＳ１が測位できない状況である旨を通知する（ステップＳ１１９）。
【００４５】
また、管理部ＳＶは、ステップＳ１１２において、測位要求メールではないと判断された場合は（ステップＳ１１２のＮｏ）、通常のメール処理として処理する（ステップＳ１２０）。
【００４６】
次に、図８を用いて説明した位置情報測位システムにおける携帯電話機ＭＳ１の動作について図１１を用いて説明する。図１１は、携帯電話機ＭＳ１が電源ＯＮモードである場合または、電源ＯＦＦモードである場合における動作のフローチャートである。
【００４７】
まず、制御部１０１は、管理部ＳＶから測位要求メールを受信したか否かを判断する（ステップＳ１４１）。ここで、制御部１０１が測位要求メールを受信していないと判断した場合は、ステップＳ１４１の判断を継続する（ステップＳ１４１のＮｏ）。そして、制御部１０１は、ステップＳ１４１において、測位要求メールを受信したと判断した場合、管理部ＳＶに対してＡＣＫ信号を送信するように無線通信部１１６を制御する（ステップＳ１４２）。
【００４８】
次に、制御部１０１は、送信元のメールアドレスが記憶部１１５の許可者記憶部１１５ａに記憶されているメールアドレスと一致するか否かを判断する（ステップＳ１４３）。
【００４９】
そして、制御部１０１は、送信元のメールアドレスと許可者記憶部１１５ａに記憶されているメールアドレスと一致しないと判断した場合は、位置情報の通知が不可である旨の通知を要求側端末へ返信する（ステップＳ１４３のＮｏ、ステップＳ１４７）。
【００５０】
また、ステップＳ１４３において、制御部１０１は、送信元のメールアドレスと許可者記憶部１１５ａに記憶されているメールアドレスと一致すると判断した場合は、ＧＰＳ通信部１１８へ携帯電話機ＭＳ１の位置情報を得るための測位を要求する（ステップＳ１４４、測位モード開始）。そして、ＧＰＳ通信部１１８は衛星から位置情報を得るための情報（例えば時刻情報であり、測位情報と記す）を取得する。そして、制御部１０１は、ＧＰＳ通信部１１８から測位情報を受信したか否かを判断する（ステップＳ１４５）。そして、制御部１０１は、測位情報を受信すると、受信した測位情報に基づいて携帯電話機ＭＳ１の位置情報を計算し、要求側端末に対して当該計算した位置情報を送信する（ステップＳ１４５のＹｅｓ、ステップＳ１４６、測位モード終了）。なお、要求側端末に対して位置情報を送信する際は、測位要求メールに対する返信メールとして位置情報を付加した形で送信することが望ましい。
【００５１】
（第２の実施例）
以下に、本発明を携帯電話機に適用した場合における第２の実施の形態を、図面を用いて説明する。なお、携帯電話機ＭＳ１、管理部ＳＶ、要求側端末（例えば携帯電話機ＭＳ２）のシステム構成、携帯電話機ＭＳ１、携帯電話機ＭＳ２の構成（図６を除く、図１乃至図１０）は第１の実施例と同じであり、その説明を省略する。第２の実施例では、第１の実施例における電源ＯＦＦモード２０２における電源供給されるデバイスの種類が異なる。
【００５２】
図１２は、第２の実施例における携帯電話機ＭＳ１の各構成要素の電力供給状態を示したものである。携帯電話機ＭＳ１は、電源ＯＮモード２０１と、完全ＯＦＦモード２０３と、第２電源ＯＦＦモード２０４とに遷移可能である。電源ＯＮモード２０１と完全ＯＦＦモード２０３との電力供給状態は、第１の実施例と同様であるため説明を省略する。
【００５３】
第２電源ＯＦＦモード２０４においては、制御部１０１、ＲＡＭ１１１、記憶部１１５、無線通信部１１６が少なくとも電源ＯＮになっている状態（又は電源ＯＮ可能なスタンバイ状態）になっており、その他の構成要素は例外（例えば電源キー７１）を除き電源ＯＦＦ状態となっている。なお、第２電源ＯＦＦモード２０４では、第２表示制御部１０５及び第１表示制御部１１３が原則ＯＦＦにしてあることから、ディスプレイ５及びサブディスプレイ１３の電源もＯＦＦになっている。
【００５４】
なお、第２電源ＯＦＦモード２０４と第１の実施例の電源ＯＦＦモード２０２とにおいて、第２の実施例の第２電源ＯＦＦモード２０４のほうが電源ＯＦＦ状態になっている構成要素が第１の実施例の電源ＯＦＦモード２０２より多いため、電力消費は第２の実施例の第２電源ＯＦＦモード２０４のほうが少ない。また、電源ＯＮモード２０１と、完全ＯＦＦモード２０３と、第３電源ＯＦＦモード２０５との遷移については、図７における電源ＯＦＦモード２０２を第３電源ＯＦＦモードに置き換えたものと同じであるため、説明を省略する。
【００５５】
次に、第２の実施例の携帯電話機ＭＳ１が第２電源ＯＦＦモード２０４である場合の動作フローについて述べる。その他の動作フローは第１の実施例と同じであるため、その説明を省略する。図１３は、携帯電話機ＭＳ１が第２電源ＯＦＦモード２０４である場合における動作のフローチャートである。
【００５６】
まず、制御部１０１は、管理部ＳＶから測位要求メールを受信したか否かを判断する（ステップＳ１４１）。ここで、制御部１０１が測位要求メールを受信していないと判断した場合は、ステップＳ１４１の判断を継続する（ステップＳ１４１のＮｏ）。そして、制御部１０１は、ステップＳ１４１において、測位要求メールを受信したと判断した場合、管理部ＳＶに対してＡＣＫ信号を送信するように無線通信部１１６を制御する（ステップＳ１４２）。
【００５７】
次に、制御部１０１は、送信元のメールアドレスが記憶部１１５の許可者記憶部１１５ａに記憶されているメールアドレスと一致するか否かを判断する（ステップＳ１４３）。
【００５８】
そして、制御部１０１は、送信元のメールアドレスと許可者記憶部１１５ａに記憶されているメールアドレスと一致しないと判断した場合は、位置情報の通知が不可である旨の通知を要求側端末へ返信する（ステップＳ１４３のＮｏ、ステップＳ１４７）。
【００５９】
また、ステップＳ１４３において、制御部１０１は、送信元のメールアドレスと許可者記憶部１１５ａに記憶されているメールアドレスと一致すると判断した場合は、ＧＰＳ通信部１１８の電源供給を開始する（ステップＳ１４８、測位モード開始）。その後、制御部１０１は、ＧＰＳ通信部１１８へ携帯電話機ＭＳ１の位置情報を得るための測位を要求する（ステップＳ１４４）。そして、ＧＰＳ通信部１１８は衛星から位置情報を得るための情報（例えば時刻情報であり、測位情報と記す）を取得する。そして、制御部１０１は、ＧＰＳ通信部１１８から測位情報を受信したか否かを判断する（ステップＳ１４５）。
【００６０】
そして、制御部１０１は、測位情報を受信すると、受信した測位情報に基づいて携帯電話機ＭＳ１の位置情報を計算し、要求側端末に対して当該計算した位置情報を送信する（ステップＳ１４５のＹｅｓ、ステップＳ１４６、測位モード終了）。
【００６１】
次に、制御部１０１は、ＧＰＳ通信部１１８の電源供給を中止する（ステップＳ１４９）。
【００６２】
（第３の実施例）
以下に、本発明を携帯電話機に適用した場合における第３の実施の形態を、図面を用いて説明する。なお、携帯電話機ＭＳ１、管理部ＳＶ、要求側端末（例えば携帯電話機ＭＳ２）のシステム構成、携帯電話機ＭＳ１、携帯電話機ＭＳ２の構成（図６を除く、図１乃至図７）は第１の実施例と同じであり、その説明を省略する。第３の実施例では、第１の実施例における電源ＯＦＦモード２０２における電源供給されるデバイスの種類が異なることに加え、システムの動作フローが異なる。
【００６３】
図１４は、第３の実施例における携帯電話機ＭＳ１の各構成要素の電力供給状態を示したものである。携帯電話機ＭＳ１は、電源ＯＮモード２０１と、完全ＯＦＦモード２０３と、第３電源ＯＦＦモード２０５とに遷移可能である。電源ＯＮモード２０１と完全ＯＦＦモード２０３との電力供給状態は、第１の実施例と同様であるため説明を省略する。
【００６４】
第３電源ＯＦＦモード２０５においては、制御部１０１、ＲＡＭ１１１、記憶部１１５が少なくとも電源ＯＮになっている状態（又は電源ＯＮ可能なスタンバイ状態）になっており、その他の構成要素は例外（例えば電源キー７１）を除き電源ＯＦＦ状態となっている。なお、第３電源ＯＦＦモード２０５では、第２表示制御部１０５及び第１表示制御部１１３が原則ＯＦＦにしてあることから、ディスプレイ５及びサブディスプレイ１３の電源もＯＦＦになっている。
【００６５】
なお、第３電源ＯＦＦモード２０５と第２電源ＯＦＦモード２０４とにおいて、第３の実施例の第３電源ＯＦＦモード２０５のほうが電源ＯＦＦ状態になっている構成要素が第２電源ＯＦＦモード２０４より多いため、電力消費は第３電源ＯＦＦモード２０５のほうが少ない。また、電源ＯＮモード２０１と、完全ＯＦＦモード２０３と、第３電源ＯＦＦモード２０５との遷移については、図７における電源ＯＦＦモード２０２を第３電源ＯＦＦモードに置き換えたものと同じであるため、説明を省略する。
【００６６】
次に、第３の実施例の携帯電話機ＭＳ１が第３電源ＯＦＦモード２０５である場合の動作フローについて述べる。図１５は、携帯電話機ＭＳ１が第３電源ＯＦＦモード２０５である場合における位置情報測位システムの動作のフローチャートである。まず、携帯電話機ＭＳ１の動作について説明する。まず、携帯電話機ＭＳ１が例えば図７に示した操作で第３電源ＯＦＦモード２０５に設定されると（ステップＳ１５１）、制御部１０１は、設定された時から所定の時間が経過したか否かを判断する（ステップＳ１５２）。そして、制御部１０１は、所定の時間が経過したと判断されるまでステップＳ１５２の判断を継続する（ステップＳ１５２のＮｏ）。そして、ステップＳ１５２において、制御部１０１が第３電源ＯＦＦモード２０５に設定された時から所定の時間が経過したと判断した場合（ステップＳ１５２のＹｅｓ）、制御部１０１は、無線通信部１１６及びＧＰＳ通信部１１８の電源供給を開始する（ステップＳ１５３）。その後、制御部１０１は、ＧＰＳ通信部１１８へ携帯電話機ＭＳ１の位置情報を得るための測位を要求し、ＧＰＳ通信部１１８は衛星から測位情報を取得する。そして、制御部１０１は、測位情報を受信すると、受信した測位情報に基づいて携帯電話機ＭＳ１の位置情報を計算し、管理部ＳＶに対して当該計算した位置情報を送信する（ステップＳ１５４）。その後、制御部１０１は、無線通信部１１６及びＧＰＳ通信部１１８の電源供給を停止する（ステップＳ１５５）。
【００６７】
なお、管理部ＳＶは、携帯電話機ＭＳ１から送られてきた位置情報の測位結果を受信し、その測位結果と時間情報とを対応付けて図示しないデータベースに保存する（ステップＳ１５６）。
【００６８】
次に、要求側端末と管理部ＳＶとの動作について説明する。要求側端末は、第１の実施例と同様の方法で、測位要求メール（又は通常メール）を作成し（ステップＳ１６１）、管理部ＳＶに対してメールを送信する。そして、管理部ＳＶは、当該メールを受け取ると、受け取ったメールが測位要求メールか否かを判断する（ステップＳ１６２）。この判断方法は第１の実施例と同じである。そして、管理部ＳＶは、測位要求メールであるとはんだんした場合は、ステップＳ１６４へ遷移し、通常メールであると判断した場合は、通常のメール送信として処理する（ステップＳ１６３）。
【００６９】
次に、管理部ＳＶは、ステップＳ１６４において、受け取ったメールが測位許可者からのメールアドレスか否かを判断する。この判断は、予め被測位者である携帯電話機ＭＳ１のユーザが予め測位結果の送信を許可するメールアドレスを管理部ＳＶの図示しないサーバに対して記憶しておき、管理部ＳＶが受け取った位置要求メールと予め管理部ＳＶのサーバに記憶したメールアドレスを比較することで可能となる。
【００７０】
次に、ステップＳ１６４において、管理部ＳＶが測位許可者からの測位要求メール受信ではないと判断すると（ステップＳ１６４のＮｏ）、測位が許可されていない旨の通知を送信する。また、管理部ＳＶが測位許可者からの測位要求メールであると判断すると、ステップＳ１６５へ遷移する。
【００７１】
次に、ステップＳ１６５において、管理部ＳＶは、携帯電話機ＭＳ１から受信した測位結果が管理部ＳＶのデータベースに記憶されているか否かを判断する（ステップＳ１６５）。そして、管理部は、携帯電話機ＭＳ１から受信した測位結果がデータベースに記憶されていない場合は、測位結果の通知が不可能である旨を要求側端末に対して送信する（ステップＳ１６５のＮｏ）。また、管理部ＳＶは、携帯電話機ＭＳ１から受信した測位結果がデータベースに記憶されている場合は、測位結果に対応付けてある時間のうち、もっとも新しい測位結果を要求側端末に対して送信する（ステップＳ１６５のＹｅｓ）。
【００７２】
その後、管理部ＳＶは、受け取った測位要求メールを通常メールと同じルーチンで携帯電話機ＭＳ１側に送信する（ステップＳ１６６）。
【００７３】
以上のように記載した実施例１乃至実施例３の構成によれば、ユーザが電源をＯＦＦに設定した場合においても、位置情報を知らせることができる。
【図面の簡単な説明】
【００７４】
【図１】第１の実施例乃至第３の実施例における携帯電話機ＭＳ１を用いた位置を測位するシステムの一つの形態の概要を示した図。
【図２】第１の実施例乃至第３の実施例における携帯電話機ＭＳ１を１８０度開いたときの外観図。
【図３】第１の実施例乃至第３の実施例における携帯電話機ＭＳ１を閉じたときの外観図。
【図４】第１の実施例乃至第３の実施例におけるディスプレイ５の表示例、キー６の配置の一例を示した図。
【図５】第１の実施例乃至第３の実施例における携帯電話機ＭＳ１の構成を簡潔に示したブロック図。
【図６】第１の実施例における携帯電話機ＭＳ１の各構成要素の電力供給状態の一覧を示した表。
【図７】第１の実施例乃至第３の実施例における携帯電話機ＭＳ１の完全ＯＦＦモード・電源ＯＮモード・電源ＯＦＦモードの遷移を示したフローチャート。
【図８】第１の実施例または第２の実施例における携帯電話機ＭＳ１を用いた位置情報測位システムの動作を示したフローチャート。
【図９】第１の実施例乃至第３の実施例におけるメール作成画面の一例を示した図。
【図１０】第１の実施例乃至第３の実施例におけるメール作成画面の別の一例を示した図。
【図１１】第１の実施例における、携帯電話機ＭＳ１が電源ＯＦＦモード２０２である場合または電源ＯＮモードである場合における動作のフローチャート。
【図１２】第２の実施例における携帯電話機ＭＳ１の各構成要素の電力供給状態の一覧を示した表。
【図１３】第２の実施例における、携帯電話機ＭＳ１が第２電源ＯＦＦモード２０４である場合または電源ＯＮモードである場合における動作のフローチャート。
【図１４】第３の実施例における携帯電話機ＭＳ１の各構成要素の電力供給状態の一覧を示した表。
【図１５】第３の実施例における携帯電話機ＭＳ１を用いた位置情報測位システムの動作を示したフローチャート。
【符号の説明】
【００７５】
２  上筐体部
３  ヒンジ部
４  下筐体部
５  ディスプレイ
６  キー
７  サイドキー
８  マイク
９  レシーバ（受話口）
１１ａ、１１ｂ、１１ｃ、１１ｄ  センサ
１２  カメラ
１３  サブディスプレイ
５１  アンテナピクト
５２  電池ピクト
５３  時刻表示
５４  左下ピクト
５５  中下ピクト
５６  右下ピクト
６１  数字キー
６２  「＊」キー
６３  「＃」キー
６４  ソフトキー左
６５  確定キー
６６  ソフトキー右
６７  十字キー
６８  メールキー
６９  ブラウザキー
７０  通話キー
７１  電源キー
７２  クリアキー
【図１】
2007288433.tif 000003
【図２】
2007288433.tif 000004
【図３】
2007288433.tif 000005
【図４】
2007288433.tif 000006
【図５】
2007288433.tif 000007
【図６】
2007288433.tif 000008
【図７】
2007288433.tif 000009
【図８】
2007288433.tif 000010
【図９】
2007288433.tif 000011
【図１０】
2007288433.tif 000012
【図１１】
2007288433.tif 000013
【図１２】
2007288433.tif 000014
【図１３】
2007288433.tif 000015
【図１４】
2007288433.tif 000016
【図１５】
2007288433.tif 000017